(57)【要約】【課題】  無線情報記憶媒体を複数枚重ね合わせても、各無線情報記憶媒体間で、相互干渉を起こして通信が不良になることがなく、無線情報記憶媒体の枚数に応じた複数の機能を選択的に得ることができるようにする。【解決手段】  支持体と、この支持体に設けられ、任意の情報を記憶するＩＣ部２０、及びこのＩＣ部２０に接続されて該ＩＣ部２０に対して非接触で情報の読み出し、書込みを行う送受信用のコイル状アンテナ２２とを有する無線情報記憶媒体１４ａ〜１４ｃを複数枚、折畳み可能に重ね合わせて構成され、各無線情報記憶媒体１４ａ〜１４ｃのコイル状アンテナ２２は、該コイル状アンテナ２２の無線情報記憶媒体１４ａ〜１４ｃが折り畳まれるのに基づいて情報の送受信を不能とし、開かれるのに基づいて情報の送受信を可能とするように折り畳み可能に構成される。【選択図】      図４
2005182520.tif 000002
【特許請求の範囲】
【請求項１】
支持体と、この支持体に設けられ、任意の情報を記憶するＩＣ部、及びこのＩＣ部に接続されて該ＩＣ部に対して非接触で情報の読み出し、書込みを行う送受信用のコイル状アンテナとを有する無線情報記憶媒体を複数枚、折畳み可能に重ね合わせて構成され、
前記各無線情報記憶媒体のコイル状アンテナは、該コイル状アンテナの無線情報記憶媒体が折り畳まれるのに基づいて情報の送受信を不能とし、開かれるのに基づいて情報の送受信を可能とするように折り畳み可能に構成されたことを特徴とする無線情報記憶媒体装置。
【請求項２】
前記コイル状アンテナは、該コイル状アンテナの無線情報記憶媒体が開かれるのに基づいて情報の送受信を可能とする第１有効面積を形成し、折り畳まれるのに基づいて前記第１有効面積よりも小さな第２有効面積を形成することを特徴とする請求項１記載の無線情報記憶媒体装置。
【請求項３】
前記無線情報記憶媒体は折り目を中心として折り畳まれ、
前記コイル状アンテナは、前記折り目を中心として対称に設けられたことを特徴とする請求項１又は２に記載の無線情報記憶媒体装置。
【請求項４】
前記支持体は、文字情報、画像情報を印刷可能な印刷層を備えていることを特徴とする請求項１乃至３のいずれか１項に記載の無線情報記憶媒体装置。
【請求項５】
表紙と中紙とを綴じ込んだ通帳類において、
前記表紙或いは中紙の複数枚が、請求項１に記載の無線情報記憶媒体装置により構成され、前記無線情報記憶媒体のＩＣ部に、所持人の個人情報が記憶されるとともに、前記無線情報記憶媒体の支持体に、前記個人情報が印刷されたことを特徴とする通帳類。
【請求項６】
前記個人情報は、所持人の顔画像を含んでいることを特徴とする請求項５記載の通帳類。
【請求項７】
請求項５に記載の通帳類を発行する発行システムにおいて、
前記無線情報記憶媒体のＩＣ部に、所持人の顔画像を含む個人情報を書き込む記録部と、
前記無線情報記憶媒体の支持体に、前記顔画像を印刷する印刷部と、
前記ＩＣ部に書き込まれた前記個人情報を登録する集中管理部と
を備えたことを特徴とする発行システム。
【請求項８】
請求項５に記載の通帳類を用いる身分確認システムにおいて、
前記通帳類のＩＣ部に記憶されている所持人の個人情報を登録し集中管理する集中管理部と、
前記通帳類のＩＣ部に記憶されている前記個人情報を読み出して、前記集中管理部に登録されている個人情報とを照合する第１認識部と、
前記通帳類を携帯している携帯者の生体的特徴を読み取り電子化情報を出力する生体情報電子化部と、
前記生体情報電子化部から出力された電子化情報と前記ＩＣ部から読み出された前記個人情報とを照合し、前記通帳類の携帯者と所持人との一致を確認する第２認識部と、
を備えたことを特徴とする身分確認システム。
【請求項９】
前記第１認識部により、前記通帳類のＩＣ部に記憶されている前記個人情報と前記集中管理部に登録されている個人情報との不一致が確認された際、又は、前記第２認識部により、前記通帳類の携帯者と所持人との不一致が確認された際、警告を発する警告部を備えていることを特徴とする請求項８に記載の身分確認システム。
【発明の詳細な説明】
【技術分野】
【０００１】
本発明は、無線式で外部との情報通信が可能な無線情報記憶媒体装置、無線情報記憶媒体装置を備えた通帳類、無線情報記憶媒体装置を用いた身分確認システム、および無線情報記憶媒体装置の発行システムに関する。
【背景技術】
【０００２】
近年においては、例えば、銀行の通帳類等に無線情報記憶媒体を綴じ込んだものが提供されている。
【０００３】
この種の無線情報記憶媒体には、支持体と、この支持体に設けられ任意の情報を記憶したＩＣ部と、このＩＣ部に接続され該１Ｃ部に対して非接触で情報の読み出し、書き込みを行う送受信用のコイル状アンテナとを備えてなるものがある。
【０００４】
ところで、この無線情報記憶媒体を綴じ込んだ通帳類が複数冊、近接した状態で存在する場合、各通帳類の無線情報記憶媒体間で、相互干渉を起こし、通信が不良になるという問題が発生する。
【０００５】
この問題を解消するため、無線情報記憶媒体及びそのコイル状アンテナを通帳類の開頁、閉頁に伴なって開かれ、或いは折畳まれるように構成し、無線情報記憶媒体が折り畳まれることにより、コイル状アンテナによる情報の送受信を不能とし、開かれることによりコイル状アンテナによる情報の送受信を可能となるようにしたものが開発されている。
【０００６】
即ち、通帳類が複数冊近傍に存在する場合には、所持者が意思を持って通帳類を開くという所作により、データの送受信を可能とするものである（例えば、特許文献１参照。）。
【特許文献１】特開２００１−９２９３４号公報
【発明の開示】
【発明が解決しようとする課題】
【０００７】
しかしながら、従来においては、一冊の通帳類に対し一枚の無線情報記憶媒体を設けるだけであるため、一冊の通帳類を例えば、普通預金用、或いは定期預金用として兼用できない。このため、普通預金用、及び定期預金用の通帳類を個別に用意しなければならず、不経済的なものとなっていた。
【０００８】
本発明は上記事情に着目してなされたもので、その目的とするところは、無線情報記憶媒体を複数枚、重ね合わせても、無線情報記憶媒体間で相互干渉を起こすことなく良好な通信を可能とし、無線情報記憶媒体の枚数分に応じたを複数の機能を得ることができるようにした無線情報記憶媒体装置、無線情報記憶媒体装置を備えた通帳類、無線情報記憶媒体装置を用いた身分確認システム、および無線情報記憶媒体装置の発行システムを提供することにある。
【課題を解決するための手段】
【０００９】
前記課題を解決するため、請求項１記載のものは、支持体と、この支持体に設けられ、任意の情報を記憶するＩＣ部、及びこのＩＣ部に接続されて該ＩＣ部に対して非接触で情報の読み出し、書込みを行う送受信用のコイル状アンテナとを有する無線情報記憶媒体を複数枚、折畳み可能に重ね合わせて構成され、前記各無線情報記憶媒体のコイル状アンテナは、該コイル状アンテナの無線情報記憶媒体が折り畳まれるのに基づいて情報の送受信を不能とし、開かれるのに基づいて情報の送受信を可能とするように折り畳み可能に構成されることを特徴とする。
【００１０】
請求項５記載のものは、表紙と中紙とを綴じ込んだ通帳類において、前記表紙或いは中紙の複数枚が、請求項１に記載の無線情報記憶媒体装置により構成され、前記無線情報記憶媒体のＩＣ部に、所持人の個人情報が記憶されるとともに、前記無線情報記憶媒体の支持体に、前記個人情報が印刷されたことを特徴とする。
【００１１】
請求項７記載のものは、請求項５に記載の通帳類を発行する発行システムにおいて、前記無線情報記憶媒体のＩＣ部に、所持人の顔画像を含む個人情報を書き込む記録部と、前記無線情報記憶媒体の支持体に、前記顔画像を印刷する印刷部と、前記ＩＣ部に書き込まれた前記個人情報を登録する集中管理部とを備えたことを特徴とする。
【００１２】
請求項８記載のものは、請求項５に記載の通帳類を用いる身分確認システムにおいて、前記通帳類のＩＣ部に記憶されている所持人の個人情報を登録し集中管理する集中管理部と、前記通帳類のＩＣ部に記憶されている前記個人情報を読み出して、前記集中管理部に登録されている個人情報とを照合する第１認識部と、前記通帳類を携帯している携帯者の生体的特徴を読み取り電子化情報を出力する生体情報電子化部と、前記生体情報電子化部から出力された電子化情報と前記ＩＣ部から読み出された前記個人情報とを照合し、前記通帳類の携帯者と所持人との一致を確認する第２認識部とを備えたことを特徴とする。
【発明の効果】
【００１３】
本発明は、無線情報記憶媒体を複数枚、折畳み可能に重ね合わせて構成され、前記各無線情報記憶媒体のコイル状アンテナを、該コイル状アンテナの無線情報記憶媒体が折り畳まれるのに基づいて情報の送受信を不能とし、開かれるのに基づいて情報の送受信を可能とするように折り畳み可能に構成するため、無線情報記憶媒体の枚数に応じた複数の機能を選択的に得ることができる。従って、例えば、通帳類が銀行通帳の場合には、一冊の通帳類を普通預金用及び定期預金用として兼用することができ、経済的である。
【００１４】
また、この発明によれば、前記無線情報記憶媒体を容易に製造可能な製造方法を提供することができる。  
さらに、この発明によれば、上述した無線情報記憶媒体を用いて、無線情報記憶媒体の所持人の判別、認識、管理等を容易にかつ迅速に行うことが可能であるとともに、悪用等を防止可能な通帳類、身分確認システム、および無線記録媒体の発行システムを提供することができる。
【発明を実施するための最良の形態】
【００１５】
以下、本発明を図面に示す実施の形態を参照して詳細に説明する。  
図１は本発明の一実施の形態である冊子状の通帳類１０を開いた状態で示す斜視図である。この通帳類１０は例えば、銀行の総合口座通帳として用いられる。
【００１６】
通帳類１０は、図２にも示すように表紙および裏表紙を形成する矩形状の冊子用シート１２と、複数枚の中紙１４とを、綴じて構成されている。通帳類１０の綴じ目１６は、冊子用シート１２の短辺と平行にかつ長辺の中心を通って形成されている。綴じ目１６は、通帳類１０の折り目を規定する折曲げ線を構成し、通帳類１０はこの綴じ目１６に沿って２つに折り畳み可能となっている。
【００１７】
複数枚の中紙１４は、図２及び図３に示すように本発明における第１乃至第３の無線情報記憶媒体１４ａ，１４ｂ，１４ｃを構成している。すなわち、中紙１４は、それ自体が支持体として機能し、図４及び図５にも示すように、その内部にＩＣ部２０および送受信用のコイル状アンテナ２２が埋め込まれている。
【００１８】
中紙１４は、ポリエステルまたはポリイミド等の電気絶縁性を有したベースシート１８を備え、このベースシートの一面上にＩＣ部２０およびコイル状アンテナ２２が設けられている。ベースシート１８上には電気絶縁性を有したカバーシート２４が積層され、ＩＣ部２０およびコイル状アンテナ２２を被覆している。カバーシート２４の表面には、図示しない印刷層が形成されている。
【００１９】
送受信用のコイル状アンテナ２２は、ほぼ矩形状に巻回され中紙１４の周縁に沿って設けられている。本実施の形態において、コイル状アンテナ２２は、綴じ目１６を中心としてほぼ左右対称に形成されている。コイル状アンテナ２２は、極細のエナメル線を所定の形状に巻いた通常のコイルを用いても良いが、印刷回路で構成した方が折り畳み容易な薄手の中紙１４を安価に作成することができる。
【００２０】
ＩＣ部２０は、種々の情報を記憶するメモリ素子、演算回路、制御回路等を備え、コイル状アンテナ２２に電気的に接続されている。そして、ＩＣ部２０は、コイル状アンテナ２２を電気的に接続することにより、無線ＩＣ機能を有するように設計され、個人情報を記憶するに必要なメモリ機能と、コイル状アンテナ２２に書き込み／読み出しに用いる所定の電磁波が照射された際に情報の書き込み／読み出し動作を行う演算機能、制御機能を有し、メモリ容量や動作速度は通帳類１０の用途によって選定される。
【００２１】
本実施の形態では、第１の無線情報記憶媒体１４ａのＩＣ部２０には、口座名義人の基本情報、例えば、住所、氏名、性別、生年月日等の個人情報、通帳類１０の発行整理番号や、不正利用の防止のための声紋、指紋、顔画像等の記録をはじめ、普通預金部分の入出金に関する事項が記録される。第２の無線情報記憶媒体１４ｂのＩＣ部２０には、定期預金の入出金に関する事項が記録される。第３の無線情報記憶媒体１４ｃのＩＣ部２０には、同名義人のローン入手金に関する事項が記録される。
【００２２】
また、ＩＣ部２０は、通帳類１０の携帯時に機械的変形が少ない位置に設けられていることが望ましく、例えば、中紙１４の内、綴じ目１６の近傍で、かつ、長辺の近傍に配置されている。これにより、通帳類１０の携帯時、中紙１４の変形によるＩＣ部２０の破損を防止することができる。
【００２３】
また、図１に示すように、中紙１４の印刷層２６には、通帳類１０の所持人の顔画像が印刷または貼付けられているとともに、所持人に関する個人情報、例えば、住所、氏名、性別、生年月日、並びに、通帳類番号等が印刷されている。
【００２４】
前記のように構成された通帳類１０によれば、図７に示すように第１の無線情報記憶媒体１４ａを開いた場合には、第１の無線情報記憶媒体１４ａのＩＣ部２０のみが非接触で情報の書き込み、読み出しを行うことができる。すなわち、第１の無線情報記憶媒体１４ａを開くことにより、コイル状アンテナ２２が、図４に示すように、折り畳まれることなく平面状に位置し、その有効面積Ａ、すなわち、コイル状アンテナの内周によって規定された閉塞領域の面積が、ほぼ最大となる。
【００２５】
この状態で、情報の書き込み、読み出しに用いる所定の電磁波を通帳類１０に照射すると、この電磁波がコイル状アンテナ２２によって規定された有効面積Ａの閉塞空間を通過する。これにより、コイル状アンテナ２２に電磁波に対応した電力が誘起され、この誘起電力によって第１の無線情報記憶媒体１４ａのＩＣ部２０が駆動され、ＩＣ部２０に対して情報の書き込み、読み出しが非接触で行われる。
【００２６】
このとき、第２及び第３の無線情報記憶媒体１４ｂ，１４ｃは綴じ目１６に沿って２つに折り畳んで閉じられているため、図６に示すように、コイル状アンテナ２２が、無線情報記憶媒体１４ｂ，１４ｃと共に２つに折り畳まれた状態にある。コイル状アンテナ２２は綴じ目１６に対して左右対称に形成されていることから、綴じ目１６に沿って折り畳むことにより、ずれることなくほぼ完全に重なった状態となる。従って、コイル状アンテナ２２によって規定された閉塞空間が無くなり、有効面積もほぼゼロとなる。このため、第２及び第３の無線情報記憶媒体１４ｂ，１４ｃを交番磁界に晒したとしても、コイル状アンテナ２２には電力が誘起されず、ＩＣ部２０に対して情報の書き込み、読み出しが行われることはない。
【００２７】
以上のように構成された通帳類１０によれば、複数の無線情報記憶媒体１４ａ，１４ｂ，１４ｃの一つ（例えば、無線情報記憶媒体１４ａ）が開かれると、残りの無線情報記憶媒体１４ｂ，１４ｃは閉じた状態となって、開かれた無線情報記憶媒体１４ａのコイル状アンテナのみが送受信機能が有効となり、残りの無線情報記憶媒体１４ｂ，１４ｃのコイル状アンテナの送受信機能が無効となる。
【００２８】
従って、一冊の通帳類に複数の無線情報記憶媒体１４ａ，１４ｂ，１４ｃを近接して綴じても、無線情報記憶媒体１４ａ，１４ｂ，１４ｃ間で相互干渉を起こすことなく、所望する無線情報記憶媒体のみを読み書きできる。
【００２９】
よって、一冊の通帳類１０に複数の機能、例えば、普通預金及び定期預金用の通帳としての機能を付加でき、コストを低減することができる。
【００３０】
次に、以上のように構成された複数の無線情報記憶媒体１４ａ，１４ｂ，１４ｃを備えた通帳類１０を発行する通帳類発行システム、および通帳類１０を利用した身分確認システムについて説明する。
【００３１】
図１０に示すように、通帳類発行システムは、通帳類発行装置５と通帳集中管理部６とを備えている。通帳類発行装置５は、通帳類１０に綴じ込まれている中紙１４の印刷層２６に、通帳類の所持人の個人情報として、氏名、住所、性別、発行整理番号等を印字する文字印刷機構５１と、同じく印刷層２６に所持人の顔画像を印刷する顔画像記録機構５３と、例えば、声紋、指紋、顔画像等の生体的特徴を電子化情報に変換する情報電子化機構５５と、前記個人情報、および情報電子化機構５５によって電子化された生体的情報を無線情報記憶媒体１４ａ〜１４ｃのＩＣ部２０に書き込む無線ＩＣ記録機構５２と、これらの機構の動作を制御する通帳発行制御部５４とを備えている。
【００３２】
通帳発行制御部５４は、通帳集中管理部６とネットワーク接続され、通帳集中管理部６と交信して文字印刷機構５１、無線ＩＣ記録機構５２、顔画像記録機構５３等を制御し、発行する通帳類１０の発行整理番号や各種の通帳管理情報、個人情報を通帳類１０の無線情報記憶媒体１４ａ〜１４ｃの印刷層２６に、顔画像を無線情報記憶媒体１４ａ〜１４ｃの印刷層２６にそれぞれ印刷し、電子化された通帳管理情報や生体情報をＩＣ部２０に記録する。
【００３３】
図１１に示すように、身分確認システムは、複数台の前記構成の通帳類発行装置５と、通帳集中管理部６と、複数台の情報読み取り／書き換え装置７と、複数台の生体情報電子化機構５５とをネットワーク接続して構成されている。情報読み取り／書き換え装置７と生体情報電子化機構５５とは１台ずつ１組み合わされて認識部８を構成し、これらの認識部８は、複数箇所、銀行の複数の窓口等にそれぞれ配置されている。なお、認識部８は、この発明における第１および第２認識部を構成している。
【００３４】
そして、通帳類１０の所持人が、情報読み取り／書き換え装置７の設置された窓口で通帳類１０の無線情報記憶媒体１４ａ〜１４ｃの何れかを開いて通帳読み取り部７１に載せると、情報読み取り／書き換え装置７は、所定の交番磁界を照射して無線情報記憶媒体１４ａ（〜１４ｃ）に内蔵されているコイル状アンテナ２２に送信し、通帳類発行時にＩＣ部２０に記録された電子化情報を受信する。同時に、情報読み取り／書き換え装置７は、通帳集中管理部６と交信して、通帳集中管理部６に登録されている管理情報を受け取り、通帳類１０から受信した氏名や顔画像データ等の電子化情報と照合して通帳類１０の真偽を確認する。
【００３５】
一方、生体情報電子化機構５５は、通帳類１０の携帯者の生体的特徴を読取り電子化情報と情報読み取り／書き換え装置７に送り、情報読み取り／書き換え装置７はこの電子化情報と、通帳類１０の無線情報記憶媒体１４ａ（〜１４ｃ）のＩＣ部２０に記録されている電子化情報と照合して通帳類１０の携帯者と通帳類１０の所持人とが同一人であるか否かを確認する。
【００３６】
確認した結果、通帳集中管理部６に登録された情報と通帳類１０から読み出した情報とが不一致の際、或いは、通帳類１０に記録されている生体情報と携帯者の生体的特徴とが不一致の場合、情報読み取り／書き換え装置７は、警告灯もしくはブザー等によって身分確認システムの管理者に通報する警告部を有している。
【００３７】
また、通帳類１０の携帯者と所持人との一致／不一致は、通帳類１０の無線情報記憶媒体１４ａ（〜１４ｃ）に内蔵されたＩＣ２０に記憶されている顔画像情報を読み出してモニタに映し出し、この映し出された顔画像と通帳類１０の携帯者自身とを目視確認することにより判別してもよい。
【００３８】
以上のように構成された身分確認システムによれば、通帳類１０の携帯者と所持人との一致／不一致を瞬時に判別することができるとともに、通帳類１０の情報管理を容易に行うことができる。従って、通帳類１０を預金通帳に適用し、身分確認システムの認識部８を銀行の窓口等に設置した場合には、身分確認システムにより窓口事務を迅速に行うことができるとともに、盗難された預金通帳などの悪用を防止することができる。
【００３９】
また、通帳類１０の受給者が無線情報記憶媒体１４ａ（〜１４ｃ）のＩＣ部に記録された電子化個人情報を書き換えたり、あるいは、他人の通帳類１０に記録されている電子化個人情報を書き換えることは不可能であり、通帳類１０の偽変造を防止することができる。
【００４０】
更に、通帳集中管理部６に登録された情報と通帳類１０から読み出した情報とが不一致の場合、あるいは、通帳類１０に記録されている情報と携帯者の生体的情報とが不一致の場合、警告灯、ブザー等が自動的に動作するため、情報の一致／不一致を正確に、且つ、迅速に判定できるとともに、システム近傍に係員が不在の時も異常の発生を知ることができる。
【００４１】
また、前記のように構成された通帳類発行システムによれば、無線情報記憶媒体１４ａ（〜１４ｃ）に個人情報を文字印刷及び顔画像印刷する機能と、文字情報及び顔画像を電子化情報としてＩＣ部２０に記録する機能と、電子化された個人情報を通帳集中管理部に送信／登録する機能を備えていることから、多数の通帳類間での個人情報の誤記入をシステム的に防ぐことができる。同時に、通帳類発行と同時に通帳集中管理手段に発行通帳の情報が登録されることから、通帳類の発行業務を短期間で行うことができる。
【００４２】
また、上述した実施の形態では、無線情報記憶媒体１４ａ〜１４ｃを中紙１４として構成し通帳類に綴じ込んで使用する構成としたが、無線情報記憶媒体１４ａ〜１４ｃのみで使用可能であることは言うまでもない。同様に、本願の無線情報記憶媒体１４ａ〜１４ｃはシート状に限らず、従来の無線ＩＣカードのようなカード状に形成してもよい。  
更に、支持体およびコイル状アンテナの形状は矩形に限らず、円形、楕円形、多角形等の他の形状としてもよい。
【００４３】
なお、本発明は、前記一実施の形態に限られることなく、その要旨の範囲内で種々変形実施可能なことは勿論である。
【図面の簡単な説明】
【００４４】
【図１】本発明の第１の実施の形態に係る通帳類を開いた状態で示す斜視図。
【図２】同通帳類を示す正面図。
【図３】同通帳類を示す正面図。
【図４】同通帳類に綴じ込まれた中紙を示す平面図。
【図５】図４中のＣ―Ｃ線に沿って示す断面図。
【図６】同中紙を折り畳んだ状態を示す平面図。
【図７】同通帳類の第１の無線情報記憶媒体が開かれた状態を示す斜視図。
【図８】同通帳類の第２の無線情報記憶媒体が開かれた状態を示す斜視図。
【図９】同通帳類の第３の無線情報記憶媒体が開かれた状態を示す斜視図。
【図１０】この発明の実施の形態に係る通帳類の発行システムを概略的に示す図。
【図１１】この発明の実施の形態に係る身分確認システムを概略的に示す図。
【符号の説明】
【００４５】
５…通帳類発行装置、１０…通帳類、１２…表紙、１４…中紙、１４ａ〜１４ｃ…無線情報記憶媒体、１６…折り目、２０…ＩＣ部、２２…コイル状アンテナ、５１…文字印刷機構、５２…無線ＩＣ記録機構、５３…顔画像記録機構、５４…通帳発行制御部、５５…生体情報電子化機構。
【図１】
2005182520.tif 000003
【図２】
2005182520.tif 000004
【図３】
2005182520.tif 000005
【図４】
2005182520.tif 000006
【図５】
2005182520.tif 000007
【図６】
2005182520.tif 000008
【図７】
2005182520.tif 000009
【図８】
2005182520.tif 000010
【図９】
2005182520.tif 000011
【図１０】
2005182520.tif 000012
【図１１】
2005182520.tif 000013